(57)【要約】【課題】  装置の小型・軽量化が出来る本体・ケース固定装置を実現する。【解決手段】  柱状の本体に筒状のケースが挿入されケース周面に取り付けられたねじによりケースが本体に固定される本体・ケース固定装置において、  前記本体の周面に沿って設けられ所定角度を有するＶ溝と、前記ケースの周面に前記Ｖ溝に対向して設けられたねじ穴と、前記ねじ穴にねじ合わされ前記Ｖ溝側の先端が前記Ｖ溝と同じ所定角度のテ−パ部を有する固定ねじとを具備したことを特徴とする本体・ケース固定装置である。【選択図】                    図１
2006057765.tif 000002
【特許請求の範囲】
【請求項１】
柱状の本体に筒状のケースが挿入されケース周面に取り付けられたねじによりケースが本体に固定される本体・ケース固定装置において、
前記本体の周面に沿って設けられ所定角度を有するＶ溝と、
前記ケースの周面に前記Ｖ溝に対向して設けられたねじ穴と、
前記ねじ穴にねじ合わされ前記Ｖ溝側の先端が前記Ｖ溝と同じ所定角度のテ−パ部を有する固定ねじと
を具備したことを特徴とする本体・ケース固定装置。
【請求項２】
前記固定ねじは、前記本体の周面に沿って互いに直交して２個配置されたこと
を特徴とする請求項１記載の本体・ケース固定装置。
【請求項３】
前記固定ねじは、ぎざ先スクリュウが使用されたこと
を特徴とする請求項１又は請求項２記載の本体・ケース固定装置。
【請求項４】
前記Ｖ溝に設けられ前記ケースと本体との回転が抑止される回転抑止手段
を具備したことを特徴とする請求項１乃至請求項３の何れかに記載の請求項３記載の本体・ケース固定装置。
【請求項５】
前記回転抑止手段は、前記Ｖ溝に前記本体の軸に直交して設けられた突起ねじであること
を特徴とする請求項４記載の本体・ケース固定装置。
【請求項６】
前記回転抑止手段は、前記Ｖ溝に本体の軸に直交して設けられた突起棒であること
を特徴とする請求項４記載の本体・ケース固定装置。
【請求項７】
前記Ｖ溝の深さは、前記固定ねじが僅か緩められても固定ねじが前記Ｖ溝から抜き出ない程度に十分に深くされたこと
を特徴とする請求項１乃至請求項６の何れかに記載の本体・ケース固定装置。
【発明の詳細な説明】
【技術分野】
【０００１】
本発明は、装置の小型・軽量化が出来る本体・ケース固定装置に関するものである。
【背景技術】
【０００２】
本体・ケース固定装置に関連する先行技術文献としては次のようなものがある。
【０００３】
【非特許文献１】横河電機株式会社発行、User'ｓ  Manual、「EJX110A  and  EJX430A  Differential  Pressure  and  Pressure  Transmitters」、２００４年４月  ２版、Ｐ8-5、Figure8.4.2、
【０００４】
図５から図８は従来における本体・ケース固定装置の要部構成説明図である。
図５は斜視説明図、図６は図５の要部構成説明図、図７，図８は図５の動作説明図である。
図において、柱状の本体１に筒状のケース２が挿入され、ケース２の周面に取り付けられたねじ３によりケース２が本体１に固定される。
【０００５】
以上の構成において、ねじ３を本体１の側面に対し、垂直に締付けることで、ケース２を任意の位置で固定することができる。
ここで、本体１がねじ３と本体３の摩擦によって固定されている状態に付いて考察する。
ねじ３の先端と本体１の側面との接触部における摩擦力について、以下の式が一般に用いられる。
【０００６】
Ｆ＝μＮ
ここで、
Ｆ：摩擦力、
Ｎ：摩擦しあう物体の表面の間の法線方向の力、
μ：摩擦係数、
【０００７】
図７に示す記号を用いて、従来の固定方法に上記式を適応すると、
Ｆ1=μ1Ｎ1=μ1Ｆ
ここで、
Ｆ1：従来の固定方法における摩擦力、
μ1：ねじ/本体間の摩擦係数、
Ｎ1：図７従来例における摩擦しあう物体の表面の間の法線方向の力、
となる。
【発明の開示】
【発明が解決しようとする課題】
【０００８】
ねじ３と本体側面の接触方向が、ねじ３の軸方向と同一であるため、ケース２を本体１に確実に固定するためには、ねじ３に大きな軸力が必要となる。
ねじ３を支えるケース３の破壊を防ぐには、ケース２の肉厚を大きくする必要がある。
このために、装置の小型・軽量化が困難になる。
【０００９】
本発明の目的は、上記の課題を解決するもので、小さなトルクで大きな回転抑止力を発生させることができ、製品の小型・軽量化が可能になる本体・ケース固定装置を提供することを目的とする。
【課題を解決するための手段】
【００１０】
このような課題を達成するために、本発明では、請求項１の本体・ケース固定装置においては、
柱状の本体に筒状のケースが挿入されケース周面に取り付けられたねじによりケースが本体に固定される本体・ケース固定装置において、
前記本体の周面に沿って設けられ所定角度を有するＶ溝と、前記ケースの周面に前記Ｖ溝に対向して設けられたねじ穴と、ねじ穴にねじ合わされ前記Ｖ溝側の先端が前記Ｖ溝と同じ所定角度のテ−パ部を有する固定ねじとを具備したことを特徴とする。
【００１１】
本発明の請求項２の本体・ケース固定装置においては、請求項１記載の本体・ケース固定装置において、
前記固定ねじは、前記本体の周面に沿って互いに直交して２個配置されたことを特徴とする。
【００１２】
本発明の請求項３においては、請求項１又は請求項２記載の本体・ケース固定装置において、
前記固定ねじは、ぎざ先スクリュウが使用されたことを特徴とする。
【００１３】
本発明の請求項４においては、請求項１乃至請求項３の何れかに記載の本体・ケース固定装置において、
前記Ｖ溝に設けられ前記ケースと本体との回転が抑止される回転抑止手段を具備したことを特徴とする。
【００１４】
本発明の請求項５においては、請求項４記載の本体・ケース固定装置において、
前記回転抑止手段は、前記Ｖ溝に前記本体の軸に直交して設けられた突起ねじであることを特徴とする。
【００１５】
本発明の請求項６においては、請求項１乃至請求項４の何れかに記載の本体・ケース固定装置において、
前記回転抑止手段は、前記Ｖ溝に前記本体の軸に直交して設けられた突起ねじであることを特徴とする。
【００１６】
本発明の請求項７においては、請求項１乃至請求項６の何れかに記載の本体・ケース固定装置において、
前記Ｖ溝の深さは、前記固定ねじが僅か緩められても固定ねじが前記Ｖ溝から抜き出ない程度に十分に深くされたことを特徴とする。
【発明の効果】
【００１７】
本発明の請求項１によれば、次のような効果がある。
小さな締付け力で大きな摩擦しあう物体の表面の間の法線方向の力を得ることができる、つまり摩擦力を小さくすることができる、本体・ケース固定装置が得られる。
【００１８】
トルクを小さくすることが可能となるため、ケースの肉厚を薄くすることができる、本体・ケース固定装置が得られる。
ねじと本体側面加工溝の接触箇所が、ねじ先端斜面の二ヶ所に分散されるため、ねじと本体の接続部に与えるダメージを軽減できる本体・ケース固定装置が得られる。
【００１９】
本発明の請求項２によれば、次のような効果がある。
固定ねじは、本体の周面に沿って互いに直交して２個配置されたので、固定が確実な本体・ケース固定装置が得られる。
【００２０】
本発明の請求項３によれば、次のような効果がある。
固定ねじは、ぎざ先スクリュウが使用されたので、固定が確実な本体・ケース固定装置が得られる。
【００２１】
本発明の請求項４によれば、次のような効果がある。
ケースと本体はケーブル類で接続されていることが多く、本体とケースを無限に回転させるとケーブルの破壊等につながることがある。
Ｖ溝に設けられ、ケースと本体との回転が抑止される回転抑止手段が設けられたので、このようなケーブルの破壊等が防止できる本体・ケース固定装置が得られる。
【００２２】
本発明の請求項５によれば、次のような効果がある。
回転抑止手段は、Ｖ溝に本体の軸に直交して設けられた突起ねじであるので、ねじ固定であり、衝撃に強い本体・ケース固定装置が得られる。
【００２３】
また、突起ねじがＶ溝に設けられたので、突起ねじはケースの内側に隠れ、ユーザーが誤って外すことも起こりにくい本体・ケース固定装置が得られる。
本体が鋳物等ではなく、切削で加工される本体側に突起を取り付けることが容易ではない場合に、特に有効な本体・ケース固定装置が得られる。
【００２４】
本発明の請求項６によれば、次のような効果がある。
回転抑止手段は、Ｖ溝に本体の軸に直交して設けられた突起棒であるので、製作し易く安価な本体・ケース固定装置が得られる。
【００２５】
本発明の請求項７によれば、次のような効果がある。
Ｖ溝の深さは、固定ねじが僅か緩められても、固定ねじがＶ溝から抜き出ない程度に十分に深くされたので、接続部に積極的に溝が形成されることで、ケースを回転させるためにねじをゆるめた際に、抜け止めの機能を持たせることができる本体・ケース固定装置が得られる。
【発明を実施するための最良の形態】
【００２６】
以下本発明を図面を用いて詳細に説明する。
図１は本発明の一実施例の要部構成説明図である。
【００２７】
Ｖ溝１２は、本体１１の周面に沿って設けられ所定角度θを有する。
ねじ穴１３は、ケース１４の周面に、Ｖ溝１２に対向して設けられている。
固定ねじ１５は、ねじ穴１３にねじ合わされ、Ｖ溝１２の側の先端が、Ｖ溝１２と同じ所定角度θのテ−パ部１６を有する。
【００２８】
この場合は、固定ねじ１５は、本体１１の周面に沿って互いに直交して２個配置されている。
また、Ｖ溝１２の深さは、固定ねじ１５が僅か緩められても、固定ねじ１５がＶ溝１２から抜き出ない程度に十分に深くされている。
【００２９】
以上の構成において、ケース１４と本体１１との固定部分に、角度２θ°のＶ字形の溝１２を構成し、この溝１２の部分にねじ１５を締付けることで、ケース１４と本体１１とを所定の位置で固定する。
【００３０】
ここで、本体１１が、ねじ１５と本体１１との摩擦によって回転を抑止されている状態を考える。
ねじ１５の先端斜面と本体１１の側面のＶ字形の溝１２との接触部における摩擦力について式を用いて表す。
【００３１】
図中の記号を用いてＮ2は以下のように表せる。
２Ｎ2＝Ｎ2ｘ/sin（π/２-θ）＝Ｆ/cosθ（両側）
また、Ｆ＝２Ｎ2cosθと変形でき、θ＝45°の時、Ｆ＝（２）１／２Ｎ2
となることから、小さな締付け力で大きなＮが得られる、つまり大きなμＮ（摩擦力＝回転抑止力）となることがわかる。
一方、Ｎ2ｙは打ち消し合う。
【００３２】
本発明の固定方法に適応すると、
Ｆ2＝μ１Ｆ/cosθ（両側）
ここで、
Ｆ2：本発明の固定方法における摩擦、
μ1：ねじ/本体間の摩擦係数）
となる。
【００３３】
この結果、
小さな締付け力で大きな摩擦しあう物体の表面の間の法線方向の力を得ることができる、つまり摩擦力を小さくすることができる、本体・ケース固定装置が得られる。
【００３４】
トルクを小さくすることが可能となるため、ケース１４の肉厚を薄くすることができる、本体・ケース固定装置が得られる。
ねじ１５と本体側面加工溝１２の接触箇所が、ねじ１５の先端斜面の二ヶ所に分散されるため、ねじ１５と本体１１の接続部に与えるダメージを軽減できる本体・ケース固定装置が得られる。
【００３５】
固定ねじ１５は、本体１１の周面に沿って互いに直交して２個配置されたので、固定が確実な本体・ケース固定装置が得られる。
【００３６】
Ｖ溝１２の深さは、固定ねじ１５が僅か緩められても、固定ねじ１５がＶ溝１２から抜き出ない程度に十分に深くされたので、接続部に積極的に溝１２が形成されることで、ケース１４を回転させるためにねじ１５をゆるめた際に、抜け止めの機能を持たせることができる本体・ケース固定装置が得られる。
【００３７】
図２は本発明の他の実施例の要部構成説明図である。
本実施例においては、固定ねじ２１は、ぎざ先スクリュウが使用されている。
この結果、固定ねじ１５は、ぎざ先スクリュウが使用されたので、固定が確実な本体・ケース固定装置が得られる。
【００３８】
図３は本発明の他の実施例の要部構成説明図、図４は図３のＡ−Ａ断面図である。
本実施例においては、回転抑止手段３１は、Ｖ溝１２に設けられ、ケース１４と本体１１との回転が抑止される。
この場合は、回転抑止手段３１は、Ｖ溝１２に、本体１１の軸に直交して設けられた突起ねじである。
【００３９】
この結果、
ケース１４と本体１１はケーブル類で接続されていることが多く、本体１１とケース１４を無限に回転させるとケーブルの破壊等につながることがある。
Ｖ溝１２に設けられ、ケース１４と本体１１との回転が抑止される回転抑止手段３１が設けられたので、このようなケーブルの破壊等が防止できる本体・ケース固定装置が得られる。
【００４０】
この場合は、回転抑止手段３１は、Ｖ溝１２に本体１１の軸に直交して設けられた突起ねじ３１であるので、ねじ固定であり、衝撃に強い本体・ケース固定装置が得られる。
【００４１】
また、突起ねじ３１がＶ溝１２に設けられたので、突起ねじ３１はケース１４の内側に隠れ、ユーザーが誤って外すことも起こりにくい本体・ケース固定装置が得られる。
本体１１が鋳物等ではなく、切削で加工される本体１１の側に突起を取り付けることが容易ではない場合に、特に有効な本体・ケース固定装置が得られる。
【００４２】
なお、回転抑止手段３１は、Ｖ溝１２に本体１１の軸に直交して設けられた突起棒であっても良い。
この場合は、回転抑止手段３１は、Ｖ溝１２に本体１１の軸に直交して設けられた突起棒であるので、製作し易く安価な本体・ケース固定装置が得られる。
【００４３】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００４４】
【図１】本発明の一実施例の要部構成説明図でプラテンの平面図である。
【図２】本発明の他の実施例の要部構成説明図である。
【図３】本発明の他の実施例の要部構成説明図である。
【図４】図３のＡ―Ａ断面図である。
【図５】従来より一般に使用されている従来例の構成説明図である。
【図６】図５の要部構成説明図である。
【図７】図５の動作説明図である。
【図８】図５の動作説明図である。
【符号の説明】
【００４５】
１        本体
２        ケース
３        ねじ
１１      本体
１２      Ｖ溝
１３      ねじ穴
１４      ケース
１５      固定ねじ
１６      テ−パ部
２１      固定ねじ
３１      回転抑止手段
Ｆ1        摩擦力
Ｆ2        本発明の摩擦力
Ｎ1        法線方向の力
Ｎ2        本発明の法線方向の力
【図１】
2006057765.tif 000003
【図２】
2006057765.tif 000004
【図３】
2006057765.tif 000005
【図４】
2006057765.tif 000006
【図５】
2006057765.tif 000007
【図６】
2006057765.tif 000008
【図７】
2006057765.tif 000009
【図８】
2006057765.tif 000010